(57)【特許請求の範囲】
【請求項１】
前板、後板、側板、糊代片を連設した一つのブランクから角筒体を形成し、前記後板に連設した天部上フラップと、前記前板あるいは前記後板に連設した底部フラップで前記角筒体の上下開放端を密封し、前記天部上フラップに延長片を連設し、該延長片を前記前板に部分的に固定したカートンにおいて、前記前板の上端の少なくとも一部に破断用ミシン目による切り取り可能な切り欠け領域を外枠線が前記延長片の外枠線の内側になるように形成し、前記後板の前記側板と隣接する辺の上端から対向する辺に向かって外折り用罫線を設け、前記後板の外折り用罫線より下の部分と糊代片とを接着し、前記後板の外折り用罫線より上の部分と糊代片とを接着しないことを特徴とするカートン。
【請求項２】
前記前板に、前記天部延長片の先端が差し込み可能な差し込み口を設けたことを特徴とする請求項１に記載のカートン。
【発明の詳細な説明】
【０００１】
【産業上の利用分野】
本発明は、棒状の内容物を収納するカートンに関し、特に、棒状の菓子類などを複数個収納するのに好適に用いられるカートンに関する。
【０００２】
【従来の技術】
従来、棒状の内容物を収納する容器には、開口部と底部が同形の四角柱などのカートンが使用されていた。
【０００３】
【発明が解決しようとする課題】
しかしながら、従来のカートンの形状では、開封してカートンから１個の内容物を取り出そうとする場合、内容物が互いに密接状態にあるため、スムーズに取り出すことが難しい。
【０００４】
本発明は、上記の問題点を解決するために見出されたもので、棒状の内容物を収納し、その棒状の内容物を容易に取り出すことができるカートンを提供するものである。
【０００５】
【課題を解決するための手段】
上記課題を解決するためになされた本発明は、前板、後板、側板、糊代片を連設した一つのブランクから角筒体を形成し、前記後板に連設した天部上フラップと、前記前板あるいは前記後板に連設した底部フラップで前記角筒体の上下開放端を密封し、前記天部上フラップに延長片を連設し、該延長片を前記前板に部分的に固定したカートンにおいて、前記前板の上端の少なくとも一部に破断用ミシン目による切り取り可能な切り欠け領域を外枠線が前記延長片の外枠線の内側になるように形成し、該切り欠け領域と前記延長片を接着し、前記カートン開封時に、前記延長片を開封すると同時に前記切り取り領域が切り取られることを特徴とするカートンである。また、前記後板において、前記側板と隣接する辺の上端から対向する辺に向かって外折り用罫線を設けたことを特徴とし、前記後板の外折り用罫線より下の部分と糊代片とを接着し、前記後板における外折り用罫線より上の部分と糊代片とを接着しないことを特徴とする。さらに、前記前板に、前記天部延長片の先端が差し込み可能な差し込み口を設けたことを特徴とする。
【０００６】
本発明によれば、棒状の内容物が収納でき、開封後に、その棒状の内容物を容易に取り出すことができる形態のカートンを得ることが出来る。
【０００７】
【発明の実施の形態】
以下図面に基づいて詳細に説明する。
図１は、本発明によるカートン１を示す斜視図であり、図２は、後方より見た斜視図である。また、図３は、本発明によるカートン１の一実施例を示す展開図であり、図４は、組立ての途中を示す展開図である。さらに、図５は、開封した状態を示す斜視図であり、図６は、内容物を充填し開封した状態を示す斜視図である。
【０００８】
本発明のカートン１は、図１に示すように、後板１、側板２、前板３、側板４とを備えている。そして、後板１の上側には、天部上フラップ６を連設し、その天部上フラップ６に連設して延長片１０を設けている。また、前板３の下側には、底部フラップ１２を連設している。さらに、延長片１０は前板３に部分的に接着されているが、開封後は、延長片１０の先端が前板３に設けた差し込み口１５に差し込まれ、固定されている
【０００９】
後板１において、図２に示すように、一方の縦の辺である罫線ａの上端から対向する辺のほぼ中央の向かって斜めに罫線ｎを設けている。
底部では、底部フラップ１２で密封されている。
【００１０】
図３は、本発明によるカートン１の一実施例を示す展開図である。
カートン１は、それぞれの罫線ａ、ｂ、ｃ、ｄを介して、後板１、側板２、前板３、側板４、糊代片５とを順に連設している。後板１の上側には、折れ線ｅを介して、天部上フラップ６を、その上縁に折れ線ｉを介して、延長片１０を連設している。この延長片１０の形状は、図３に示すような５角形に限定されず、３角形、台形、半円形などを用いることができる。側板２の上側には、折れ線ｆを介して、天部折り込みフラップ７を、下側には、折れ線ｊを介して、天部折り込みフラップ１１を連設している。前板３の上側には、折れ線ｇを介して、天部下フラップ８を連設している。この天部下フラップ８は必ずしも必要とはしない。前板３の下側には、折れ線ｋを介して、底部フラップ１２を、その下縁に折れ線ｍを介して、差し込み片１４を連設している。側板４の上側には、折れ線ｈを介して、天部折り込みフラップ９を、下側には、折れ線ｌを介して、底部折り込みフラップ１３を連設している。
【００１１】
また、前板３には、側板２、４と隣接する折れ線ｂ、ｃの上端を結び、前板３の上辺に破断用ミシン目ｏを設けて切り欠け領域Ｘを形成している。この破断用ミシン目ｏによって、延長片１０および天部上フラップ６を開封すると同時に、天部下フラップ８および切り欠け領域Ｘが切り取られる。この切り込け領域Ｘの形状としては、前板３の上片である罫線ｇから作る形が、３角形、台形、半円形など内容物が取り出し易いよう適宜選定することができる。その際、切り欠け領域Ｘの外枠線は、延長片１０の外枠線の内側にすることが必要である。
【００１２】
また、前板３には、天部上フラップ６の延長片１０の先端が差し込み可能な差し込み口１５を設けている。延長片１０を固定する方法としては、延長片１０の先端を前板３の差し込み口１５に差し込む方法以外に、延長片１０の先端の裏面を前板３を部分的に接着固定する方法を用いることもできる。
【００１３】
また、後板１には、側板２と隣接する折れ線ａの上端から対向する辺のほぼ中央に向かって折れ線ｎを設ける。この折れ線ｎと対向する片とが交わる点をｐとすると、ｐが対向する辺の上端に近付けば、開封の時に開口部が小さくなり、対向する辺の下端に近付けば、開封の時に開口部が大きくなる。前板３に設けられた切り欠け領域Ｘの大きさを考慮し、内容物が取り出し易いよう適宜設定する。開封した時には、天部上フラップ６、延長片１０、そして後板１の罫線ｎより上部を外側に折ることにより、内容物を容易に取り出すことができる。
【００１４】
本発明のカートンを上記ブランクから組み立てるには、まず、糊代片５を後板１の裏面に接着剤を用いて貼着し、図４に示すような角筒状に組み立てる。その際、糊代片５と後板１との接着は、後板１に設けられた罫線ｏより下の部分で接着し、上の部分は、接着を行わない。この部分の接着を行う場合には、軽い力で剥がすことが可能な仕様とする必要がある。つぎに、底部では、底部折り込みフラップ１１、１３を折り込み、底部差し込み片１４を差し込みながら、底部フラップ１２を折り込む。つづいて、天部では、天部折り込みフラップ７、９を折り込み、天部下フラップ８を折り込み、天部上フラップ６を折り込み、そして天部延長片１０をおりこみながら先端を前板３の差し込み口１５に差し込む。この時に、天部フラップ８と天部上フラップ６の裏面、および前板３の切り欠け領域Ｘと延長片１０の裏面とを接着する。この接着を充分に行うために、接着面積を、可能な限り広くする必要がある。最終的に、図１に示すような外観のカートンが出来上がる。
【００１５】
実際に、本発明のカートンを開封するときには、
延長片１０の先端を前板３の差し込み口１５から引き出し、前板３から剥がすように開封する。この動作によって、延長片１０に接着されている前板３の切り込み領域Ｘが切り込みミシン目ｏから破断され、そして天部下フラップ８も開封され、フラップ全体が開封される。さらに、後板１の罫線ｎを外側に折ることにより、図５および図６に示すように、開口部において、内容物を容易に取り出すことができる。
【００１６】
本発明のカートンに使用される内容物としては、棒状の菓子類、食品類、たばこ、文具類などがあげられる。
【００１７】
【発明の効果】
本発明によれば、棒状の内容物を収納するカートンであって、開封が簡単で、開封後に、開口部において、一般のカートンのように前板、後板の上端と同一で、平らではなく、開封と同時に前板では切り込みができ、後板では上端が斜め後ろに折ることができるため、収納した内容物の先端が、露出し、摘んで取り出し易い、優れた取り出し効果を持つカートンを得ることが出来る。
【図面の簡単な説明】
【図１】本発明によるカートン１の一実施例を示す斜視図である。
【図２】本発明によるカートン１の一実施例を示す後方からの斜視図である。
【図３】本発明によるカートン１の一実施例のブランクの展開図である。
【図４】本発明によるカートン１の一実施例の組立の途中を示す展開図である。
【図５】本発明によるカートン１の一実施例の開封した状態を示す斜視図である。
【図６】本発明によるカートン１の一実施例の内容物を充填し開封した状態を示す斜視図である。
【符号の説明】
Ａ  カートン
１  後板
２  側板
３  前面
４  側面
５  糊代片
６  天部上フラップ
７  天部折り込みフラップ
８  天部下フラップ
９  天部折り込みフラップ
１０  延長片
１１  底部折り込みフラップ
１２  底部フラップ
１３  底部折り込みフラップ
１４  底部差し込み片
１５  差し込み口
ａ〜ｄ  罫線
ｅ〜ｍ  罫線
ｎ  外折り用罫線
ｏ  破断用ミシン目
ｐ  外折り用罫線の端部
Ｘ  切り欠け領域
【図１】
0004011691.tif 000002
【図２】
0004011691.tif 000003
【図３】
0004011691.tif 000004
【図４】
0004011691.tif 000005
【図５】
0004011691.tif 000006
【図６】
0004011691.tif 000007